(57)【要約】【課題】金属材で補強せずとも充分な強度および形状安定性を得ることができる紙製パレットを提供すること。【解決手段】荷物を載置する方形かつ紙製の天板３と、前記天板３に設けられその下面に対して井桁状に配列されて前記天板３を補強する複数本からなる紙管製の天板補強材５と、井桁状故に有する交点部分６に配置され前記天板補強材５を支持する紙管製の脚部７とを有し、前記天板補強材５は、主管５１、及び、この主管５１に対し前記交点部分６で直交するとともに当該交点部分６における前記主管５１と前記脚部７の端面との間に形成される空間部Ｓに先細りに形成された先端部５３ａが挿入されて、当該先端部５３ａが前記主管５１と前記脚部７の端面とに当接する副管５３を含む紙製パレット。【選択図】図５
2005170459.tif 000002
【特許請求の範囲】
【請求項１】
荷物を載置する方形かつ紙製の天板と、
前記天板に設けられその下面に対して井桁状に配列されて前記天板を補強する複数本からなる紙管製の天板補強材と、
井桁状故に有する交点部分に配置され前記天板補強材を支持する紙管製の脚部とを有し、
前記天板補強材は、主管、及び、この主管に対し前記交点部分で直交するとともに当該交点部分における前記主管と前記脚部の端面との間に形成される空間部に先細りに形成された先端部が挿入され、その状態で当該先端部が前記主管と前記脚部の端面とに当接する副管を含む紙製パレット。
【請求項２】
前記主管及び副管は、紙製丸管をその長手方向に切断し横断面がＵ字形にされた変形紙管であって、前記Ｕ字形横断面の開口側が前記天板に向けられた状態で当該天板に固着されることを特徴とする請求項１に記載の紙製パレット。
【請求項３】
前記副管の先端部は、当該副管の軸方向に対して直交方向に延びる仮想軸線上に曲率中心を有する湾曲面を有し、この湾曲面の曲率半径は、前記主管の曲率半径よりも大きく、前記副管の曲率中心は、前記主管の曲率中心に対して変位していることを特徴とする請求項１又は２に記載の紙製パレット。
【請求項４】
前記主管及び前記脚部は固定手段で取り付けられ、
この固定手段は、前記脚部の中空内に配置され前記主管を前記脚部とともに支持する支持部と、この支持部を前記主管に締着する締着具とを有することを特徴とする請求項１〜３のいずれかに記載の紙製パレット。
【請求項５】
前記支持部は、剛性及び耐水性を有することを特徴とする請求項４に記載の紙製パレット。
【請求項６】
前記井桁状部分の対角線上に前記副官が配列されたことを特徴とする請求項１〜５のいずれかに記載の紙製パレット。
【請求項７】
前記脚部の端面は、前記主管又は／及び副管を安定保持する凹部を有することを特徴とする請求項１〜６のいずれかに記載の紙製パレット。
【請求項８】
前記凹部は、前記紙製丸管の曲率と同じ曲率を有することを特徴とする請求項７に記載の紙製パレット。
【発明の詳細な説明】
【技術分野】
【０００１】
本発明は紙製パレット、詳しくは荷役作業において、台となる天板に荷物を載置した状態で、フォークリフト等、荷受け用の腕(フォーク)を備えた荷役トラックにより移動するのに用いられる紙製パレットに関する。
【背景技術】
【０００２】
従来のパレットは一般に木製であったが、貿易品の場合には、輸入国側が、木材中に潜む害虫の同時輸入を抑制するためにかなりの経費と時間とを費やして、木製パレットを薫蒸処理しなければならない。そこで害虫についての処理が不要な段ボール等を使った紙製パレットが提案されている。
【０００３】
図１８は従来の紙製パレット３０１の一例を示す。同図（ａ）は紙製パレット３０１の分解斜視図であり、同図（ｂ）は組み立て図である。
紙製パレット３０１は、上下一対の紙製の天板３０２及び底板３０３の間に任意の数の紙製の丸管３０４を介装し、丸管３０４を脚として天板３０２と底板３０３とを連結して構成される。また符号３０５は、フォークリフトのフォークを四方刺しできるようにするための挿入空間であるフォ  ークポケットである。
【０００４】
ところで、紙製パレットは、木製やプラスチック製のパレットに比べ剛性の点で劣り、繰返し使用することができない傾向にある。しかし、紙製パレットについても木製やプラスチック製と同様の剛性を有することで、繰返し使用できるようにすることが要望されている。
【０００５】
従来の紙製パレットにおいては、パレットとしての強度および形状安定性を、専ら天板の強度および剛性を高めることで実現するようにしているが、これまでの技術では十分期待に応えられるものを提供できなかった。
【０００６】
特に偏荷重が負荷されると天板のうち脚である紙管に当接していない箇所で撓みや破損が生じ易い傾向にある。
そこで、例えば天板に金属板を貼着固定したものが提案されている。しかし、このようなパレットでは、重量増大の問題と、天板の処分にあたりそれらを構成する紙材と金属材とを分離しなければならないという問題がある。
【０００７】
また、紙製パレットは、両端が開口した円筒状の紙管をその中空部が天板に対して垂直になるように、紙管を天板の下面に立設して取付けている。一方、紙管の肉厚は数ミリ程度であるから、天板に荷物が不安定に載せられたり、偏荷重がかかると、紙管がねじれたり、天板から外れたり、座屈するなどの問題がある。そこで紙管を厚肉にすることが考えられるが、コスト高になるうえ、不要となったときの焼却が容易でないという問題がある。
【０００８】
さらに、天板と紙管との接触面積を増大することを目的として、紙管の端面を閉塞し、当該紙管の閉塞面を天板や底板に接着することも試みられているが、紙管の閉塞作業に手間が掛かるという問題がある。そして、紙管自体の接着面積は、いくら端面を閉塞したからといっても天板の面積に比較するとかなり小さい。このため、積載荷重が偏在した時やフォークリフトによる出し入れの時にフォークが紙管に当たりそれに起因して紙管に集中応力が生じたりすると、接着が取れて紙管が天板や底板から外れてしまうという問題がある。
【０００９】
また、偏在した積載荷重は天板の剛性で支えなければならず、紙管の改良だけでは天板の強度改善にはならなかった。
【特許文献１】特開平１１−３０１６７２
【発明の開示】
【発明が解決しようとする課題】
【００１０】
本発明はこのような実情に鑑みて為されたものであり、その解決しようとする課題は、少なくとも天板その物自体の構造に金属材を組み付けなくとも充分な強度および形状安定性を天板や底板に得ることができる紙製パレットを提供することにある。
【課題を解決するための手段】
【００１１】
そこで、本発明では、次の手段を採用した。
（１）すなわち、本発明の紙製パレットは、荷物を載置する方形かつ紙製の天板と、前記天板に設けられその下面に対して井桁状に配列されて前記天板を補強する複数本からなる紙管製の天板補強材と、井桁状故に有する交点部分に配置され前記天板補強材を支持する紙管製の脚部とを有し、前記天板補強材は、主管、及び、この主管に対し前記交点部分で直交するとともに当該交点部分における前記主管と前記脚部の端面との間に形成される空間部に先細りに形成された先端部が挿入され、その状態で当該先端部が前記主管と前記脚部の端面とに当接する副管を含む。
【００１２】
本発明では天板は複数本の天板補強材を有しており、天板補強材は天板の下面に対して井桁状に配列されて天板を補強するから天板は天板補強材によって形成される井桁状部分が多くなるに比例してその強度が高まる。また天板に対して井桁状に天板補強材を配列するから偏在する積載加重に対しても天板は十分な強度および形状安定性を有する。
【００１３】
また、脚部の端面と主管との間に形成される空間部に副管の先細り先端部を挿入することで当該先端部が前記主管と前記脚部の端面とに当接するので、副管の先端部が主管を支持するようになるため主管の強度と副管の強度とが相俟って、それらを単に天板に井桁状に配列する場合と比べ、天板補強材としての強度を高める。
（２）前記主管及び副管は、紙製丸管をその長手方向に切断し横断面がＵ字形にされた変形紙管であって、前記Ｕ字形横断面の開口側が前記天板に向けられた状態で当該天板に固着されると好適である。
【００１４】
紙製丸管の横断面がＵ字形になるように主管及び副管をその長手方向に切断すると、紙製丸管の切断面は、紙製丸管の肉厚分を幅とし紙製丸管の長さ寸法に合致する長さを有する二本の平行ライン状の面となり、紙製丸管を切断せずに天板補強材とした場合と比べ主管及び副管の天板との接触面積が増大する。このため、天板はさらに十分な強度および形状安定性を有する。
（３）前記副管の先端部は、当該副管の軸方向に対して直交方向に延びる仮想軸線上に曲率中心を有する湾曲面を有し、この湾曲面の曲率半径は、前記主管の曲率半径よりも大きく、前記副管の曲率中心は、前記主管の曲率中心に対して変位していると好適である。
【００１５】
このようにすることで、前記主管と前記脚部の端面との間に形成される空間部に副管の先端部が挿入され易くなる。
（４）前記主管及び前記脚部を固定手段で取り付け、この固定手段には、前記脚部の中空内に配置され前記主管を前記脚部とともに支持する支持部と、この支持部を前記主管に締着する締着具とが含まれるようにしてもよい。
【００１６】
締着具としては、ボルトとナットによる螺子を用いた締着具でもよいしリベットでもよ
い。このような締着具の利用により、主管と脚部との強度が飛躍的に増大する。
（５）前記支持部は、剛性及び耐水性を有することが望ましい。
【００１７】
脚部が例えば水分を含んで軟質化しても支持部が剛性及び耐水性を有していれば、脚部の機能を支持部が果たすようになる。また、脚部と支持部との協働によりより重量のある荷物の積載も可能となる。
（６）前記井桁状部分の対角線上に前記副官を配列することも考えられる。このようにすることで一層天板の強度が増大する。
（７）前記脚部の端面は、前記主管又は／及び副管を安定保持する凹部を有すると効果的である。なぜならばこのようにすることで脚部の端面に対して主管又は／及び副管が落ち着くようになるため、紙製パレットの組み付けが容易になるからである。
（８）前記凹部は、前記紙製丸管の曲率と同じ曲率を有することが好ましい。このようにすることで、脚部の端面に対して前記主管及び副管は一層安定保持される。
【発明の効果】
【００１８】
本発明の紙製パレットによれば、天板その物自体の構造に金属材を組み付けなくとも充分な強度および形状安定性を得ることができる。
【発明を実施するための最良の形態】
【００１９】
以下、本発明の実施の形態（以下、実施形態）を添付した図面を参照して説明する。
図１〜図１７は本願発明の実施例を示し、四方差しの紙製パレット（以下単にパレット）１を示す。
【００２０】
パレット１は、荷物を載置する方形（この実施形態では正四角形）の天板３と、天板３に設けられその下面に対してマス、はしご、すのこ等の井桁状に配列されて天板３を補強する複数本からなる紙管製の天板補強材５と、井桁状故に有する交点部分（図２からわかるように、天板３の四隅、天板３の各辺中央及び天板中央のこと）６に配置されて天板補強材５を支持する紙管製の脚部７と、脚部７の下端面７２に取り付けられた下板８とを有する。
【００２１】
前記天板補強材５は、３本の主管５１及び６本の副管５３を含む。なお、図１において符号１４が示すものはフォークリフトのフォークであり、パレット１のフォークポケット１５に挿入された状態を示す。
【００２２】
主管５１は、天板３の辺の長さと同寸法で天板３に対して等間隔で平行に配置されている。
副管５３は、これらの主管５１の間に配置され、主管５１に対し交点部分６で直交する（図２，図３参照）。また副管５３は、その両先端部５３ａ，５３ａが先細りに形成され（図４，図５参照）、当該先端部５３ａは、交点部分６における主管５１と脚部７の上端面７１との間に形成される空間部Ｓに挿入されて、当該先端部５３ａが主管５１と脚部７の上端面７１とに当接するようになっている（図５，図６参照）。
【００２３】
また、図５に示すように、副管５３の先端部５３ａは、副管５３の軸Ｌ１方向に対して直交（鉛直）方向に延びる仮想軸線Ｌ上に曲率中心Ｏ２を有する内側湾曲面Ｃを有し、この内側湾曲面Ｃの曲率半径ｒ２は、前記主管５１の曲率半径ｒ１よりも大きく、副管５３の曲率中心Ｏ２は、主管５１の曲率中心Ｏ１に対して位置がずれている。
【００２４】
主管５１も副管５３も共に、紙製丸管をその長手方向に中心軸を含む仮想平面に沿って切断（半裁）し、横断面がＵ字形にされた変形紙管であって、前記Ｕ字形横断面の開口側が前記天板に向けられた状態で当該天板３に固着されている。両者の相違点は、主管５１
は副管５３よりも長いが、副管５３はその両先端部５３ａ，５３ａが先細り截頭形状にされているという点にある。
【００２５】
紙製丸管は、新聞紙や段ボールなどの原紙の巻芯として使用されるような紙管原紙をそれに接着剤を塗布しながら幾重にも巻回した極めて剛性の高い紙管である。主として、上記原紙の巻芯として汎用される紙管は、その外径が１００ｍｍから１２５ｍｍ、紙厚は１０ｍｍから２０ｍｍのものが汎用されている。それらは、使用後に廃棄処理に回されるものが大量かつ容易に入手でき、計画的にパレットを生産するには好適なリサイクル素材である。なお、耐圧性を高める必要がある場合には、厚肉の紙管を採用する。ちなみに、使用済み紙管を使用することに限定していないことはいうまでもない。
【００２６】
脚部７は、紙製丸管をその中心軸に対して直交方向に切断し長さ１０ｃｍ〜２０ｃｍに短くしたものである。そして脚部７は、主管５１と螺子を用いた固定手段９で取り付けられる（図７，図８参照）。
【００２７】
固定手段９は、ボルト９１と、通し孔９３ａを有する逆Ｖ字形をした波板９３と、通し孔９５ａを有する金属製平板９５と、ナット９７とを含み、脚部７の上端面７１に通し孔５１ａが先端部に穿孔された主管５１を宛いその状態で、脚部７の下方から波板９３を介装させてボルト（螺子）９１を波板９３−脚部７−主管５１−平板９５の順で通し、最後にナット９７と螺合することで、脚部７と主管５１とを強固に固定する。図８に示すように脚部７内に固定手段の大部分が収納されるようになる。なお、波板９３の両端は曲折されており、脚部７の下端面７２に掛止する掛止片９４，９４とされている。
【００２８】
一方、図９〜図１１に示すように、脚部７の上端面７１に主管５１又は／及び副管５３を安定保持する凹部７３が形成されるようにしてもよい。凹部７３は、紙製丸管の曲率と同じ曲率を有するものが好ましいがこれに限定されない。
【００２９】
下板８は、図１２（ａ），（ｂ）に示すように中央に折れ線８１を介して二分された長方形状の紙板であり、一方の面８ａに脚部７とほぼ同じ径の通し孔８３を有し、他方の面８ｂは単なる平面とし、これを使用する時は前記折れ線の利用により一方の面８ａと他方の面８ｂとを重合し、両面を接着して図１２（ａ）の状態から図１２（ｂ）の状態にしたものである。このようにすることで、下板８は、その肉厚分の半分の深さ寸法を有する扁平有底孔８３ａを有するようになる。そして、当該扁平有底孔８３ａに接着材を付けて下板８を脚部７の下端面７２に固着すれば、紙製パレット１の段積みが可能になる。下板８は段積みが不要であればなくてもよい。
【００３０】
さらに図１３に示すように、井桁状部分の対角線上に副管同様両先端部が先細りにされた別の副官５３’を配列することも考えられる。この場合、天板補強材５は、主管５１，副管５３，５３’からなる。
【００３１】
次にこのような構成の紙製パレット１の作用効果について述べる。
（１）紙製パレット１は、荷物を載置する方形かつ紙製の天板３と、前記天板３に設けられその下面に対して井桁状に配列されて前記天板３を補強する複数本からなる紙管製の天板補強材５と、井桁状故に有する交点部分６に配置され前記天板補強材５を支持する紙管製の脚部７とを有し、前記天板補強材５は、主管５１、及び、この主管５１に対し前記交点部分６で直交するとともに当該交点部分６における前記主管５１と前記脚部７の上端面７１との間に形成される空間部Ｓに先細りに形成された先端部５３ａが挿入されて、当該先端部５３ａが前記主管５１と前記脚部７の上端面７１とに当接する副管５３を含む。
【００３２】
このような構成の紙製パレット１にあっては、天板３は複数本の天板補強材５を有して
おり、天板補強材５は天板３の下面に対して少なくとも井桁状に配列されて天板３を補強するから天板３は天板補強材５によって形成される井桁状部分が多くなるに比例してその強度が高まる。また天板３に対して井桁状に天板補強材５を配列するから偏在する積載加重に対しても天板３は十分な強度および形状安定性を有する。要するに天板その物自体の構造に金属材を含める構造にしなくとも充分な強度および形状安定性を天板３に得ることができる。
【００３３】
また、脚部７の上端面７１と主管５１との間に形成される空間部Ｓに副管５３の先細り先端部５３ａを挿入することで、当該先端部５３ａが前記主管５１と前記脚部７の上端面７１とに当接するので、副管５３の先端部５３ａが主管５１を支持するようになるため、主管５１の強度と副管５３の強度とが相俟って、それらを単に天板３に井桁状に配列する場合と比べ、天板補強材５としての強度を高める。
（２）前記主管５１及び副管５３は、紙製丸管をその長手方向に切断し横断面がＵ字形にされた変形紙管であって、前記Ｕ字形横断面の開口側が前記天板３に向けられた状態で当該天板３に固着されるので、紙製丸管の切断面は、紙製丸管の肉厚分を幅とし紙製丸管の長さ寸法に合致する長さを有する二本の平行ライン状の面となり、紙製丸管を切断せずに天板補強材５とした場合と比べ主管５１及び副管５３の天板３との接触面積が増大する。このため、天板３はさらに十分な強度および形状安定性を有する。また主管５１を有するので、フォークリフトのフォークに対しても強度化を図れる。
（３）前記副管５３の先端部５３ａは、当該副管５３の軸Ｌ１方向に対して直交方向に延びる仮想軸線Ｌ上に曲率中心Ｏ２を有する湾曲面Ｃを有し、この湾曲面Ｃの曲率半径ｒ２は、前記主管５１の曲率半径ｒ１よりも大きく、前記副管５３の曲率中心Ｏ２は、前記主管５１の曲率中心Ｏ１に対して変位しているので、前記主管５１と前記脚部７の上端面７１との間に形成される空間部Ｓに副管５３の先端部５３ａが挿入され易くなる。
（４）前記井桁状部分の対角線上に前記副官５３を配列することで、一層天板３の強度が増大する。
（５）前記主管５１と前記脚部７とをボルトとナットによる螺子を用いた固定手段で取り付けるので、主管５１と脚部７との強度が飛躍的に増大する。
（６）前記脚部７の上端面７１は、前記主管５１又は／及び副管５３を安定保持する凹部を有するので、脚部７の上端面７１に対して主管５１又は／及び副管５３が落ち着くようになる。このため、紙製パレット１の組み付けが容易になる。
（７）前記凹部は、前記紙製丸管の曲率と同じ曲率を有するので、脚部７の上端面７１に対して前記主管５１及び副管５３は一層安定保持される。
（８）また強度が高まるため、同じ強度で良ければ紙管の肉厚を薄くできるので、パレットの処分も比較的容易である。
【００３４】
次に、前記した構造を有する紙製パレット１を製作し、ＪＩＳ規格Ｚ０６０２に規定されている方法によって耐圧強度と曲げ強度を測定した結果、耐圧強度：９．０ｔ以上、曲げ強度：７．３５ＫＮ以上（木材クラスに相当）という好結果になった。
【００３５】
以上の通り、本願発明の紙製パレット は、ＪＩＳ規格Ｚ０６０２に規定された試験方法によって試験を行なった結果、ＪＩＳ規格Ｚ０６０３に規定された積載荷重５００ｋｇに対する規格値を達成している。
【００３６】
また、本発明の応用例として、図１４に示すように、コンテナ１００の側部に紙製パレット１を配置することも考えられる。このようにすることで、紙製パレット１をクッション手段として利用することができる。
【００３７】
尚、本発明は、上述の図示例にのみ限定されるものではなく、本発明の要旨を逸脱しない範囲内において種々変更を加え得ることは勿論である。
例えば、図１５〜図１７に、別の固定手段９’（図１６参照）を用いて主管５１と脚部７とを固定する場合を示す。
【００３８】
固定手段９’は、脚部７の中空内に配置され主管５１を脚部７とともに支持する支持部としての波板９３’と、この波板９３’を主管５１に締着する締着具としてのリベット１９１と、円形の平板（以下ワッシャー）９５’を有する。なお、既述した固定手段９に関わる同等部分は、同一の符号を図面に付して説明を省略する。
【００３９】
波板９３’は、既述した波板９３と同様、逆Ｖ字形をしている。但し、波板９３’は、波板９３よりも長尺だが、脚部７と同寸かわずかに短い。
リベット１９１は、アルミ製の中空軸管１９３と、中空軸管１９３に内嵌され、中空軸管１９３のほぼ倍の長さを有する鉄製の引抜き棒１９５とからなる。
【００４０】
中空軸管１９３は、その両端で開口し、一端には張出しフランジ１９３ａを有する。
引抜き棒１９５は、先端に中空軸管１９３よりも大径な膨出部１９５ａを有し、中空軸管１９３の反フランジ側から中空軸管１９３内に挿入され、張出しフランジ１９３ａ側から全長の半分ほどが突出する。当該突出部分はリベッター１９７により把持されるので当該部分を把持部１９５ｂと呼称する。リベッター１９７は、圧縮空気を利用して鋲締めを行う。
【００４１】
引抜き棒１９５の把持部１９５ｂをリベッター１９７で把持して引っ張ると、引抜き棒１９５の膨出部１９５ａは鉄であるのに対し、中空軸管１９３はアルミ製であるから膨出部１９５ａは中空軸管１９３内を移動し、この時に中空軸管１９３の破断によって中空軸管１９３が膨張及び変形し、もって図１７（ａ），（ｂ）にあるように、主管５１と脚部７とがリベット１９１により鋲締めされる。
【００４２】
固定手段９’を用いた主管５１と脚部７との固定は、図１５や図１７（ａ）から明らかなように、ワッシャー９５’を主管５１の通し孔５１ａに合わせた状態で、主管５１の下方から波板９３’が入れられた脚部７を宛い、リベッター１９７をその把持部１９５ｂ側を上にした状態で、ワッシャー９５’の通し孔９５ａ−主管５１の通し孔５１ａ−波板９３’の通し孔９３ａの順にリベッター１９７の張出しフランジ１９３ａが主管５１に当接するまで挿入し、その後、リベッター１９７でリベット１９１の把持部１９５ｂを把持してから、リベッター１９７を作動すれば、図１７（ｂ）で示すように主管５１と脚部７とが鋲締めされるようになる。
【００４３】
鋲締めの実行により、リベット１９１の引抜き棒１９５が中空軸管１９３内を張出しフランジ１９３ａ側に移動されるようになる。この時、引抜き棒１９５は鉄製であり、中空軸管１９３はアルミ製であるから、引抜き棒１９５の膨出部１９５ａが中空軸管１９３を膨張により変形させる。このため、波板９３’の通し孔９３ａをリベッター１９７が通過できなくなり、かつこの状態で波板９３’が上方（主管側）へ引き上げられる。波板９３’は、その掛止片９４が脚部７の下端面７２に掛止しているため当該引き上げがなされると脚部７を伴う。この結果、脚部７の上端面７１が主管５１の外表面に圧接され、リベット１９１による主管５１と脚部７とが固着される（図１６、図１７（ｂ）参照）。なお、リベット１９１の引抜き棒１９５の把持部１９５ｂはリベッターにより切断及びかしめがなされる。
【００４４】
なお、波板９３’の掛止片９４が脚部７の下端面７２に当接することに起因して下端面７２と下板８との間に隙間ができるのを防止し、下板８の脚部７との接合を強固にするために、下板８の変形例として、掛止片９４が収まる切り欠きを下板に設けると好適である。また図１５〜図１７に示すように、材料節減のため、下板を脚部７の端面形状に合わせ
て円形にしてもよい。当該下板を符号８’で示す。下板８’にも切り欠きを有すると好適である。当該切り欠きを符号８ｃで示す。さらに当該下板８’の下に同形同大のカバー板８”を敷くことで、鉄製の波板９３’による他物への損傷防止を図ることもできる。
【００４５】
当該固定手段の場合でも、ＪＩＳ規格Ｚ０６０２に規定されている耐圧強度や曲げ強度の規格値を十分に満足することができる。またリベッター１９７は、圧縮空気を利用して鋲締めを行うので、ボルト止めに比べ、主管５１と脚部７との固定作業を迅速に行える。
【００４６】
また、脚部７と支持部９３’との協働によりより重量のある荷物の積載も可能となる。
さらに、脚部７が例えば水分を含んで軟質化しても支持部９３’は鉄製であってそれ故剛性及び耐水性（すぐには腐食しないという意味で）を有しているので、脚部７の機能を支持部９３’が果たすことができる。
【図面の簡単な説明】
【００４７】
【図１】本発明に係る紙製パレットの全体斜視図である。
【図２】図２の底面図であって下板８を取った状態を示す図である。
【図３】（ａ）及び（ｂ）は、それぞれ本発明に係る紙製パレットを図１とは異なる方向から見た斜視図である。
【図４】（ａ）及び（ｂ）は、それぞれ本発明に係る紙製パレットの側面図を異なる方向から見た図である。
【図５】本発明に係る紙製パレットの要部拡大図である。
【図６】図５の拡大斜視図である。
【図７】本発明に係る紙製パレットを固定する固定手段の拡大分解斜視図である。
【図８】図７の組立て図である。
【図９】図８の変形例を示す図である。
【図１０】図９の変形例を示す図である。
【図１１】図１０のＡ−Ａ線断面図である。
【図１２】（ａ）及び（ｂ）は、それぞれ本発明に係る紙製パレットの下板の展開斜視図と組み立て斜視図である。
【図１３】図２に相当し、副官を増やした状態を示す図である。
【図１４】本発明に係る紙製パレットの応用例を示す図である。
【図１５】別の固定手段を説明するための拡大分解斜視図である。
【図１６】図１５の組み立て図である。
【図１７】（ａ）及び（ｂ）は、それぞれ図１５の縦断面図及び図１６の縦断面図である。
【図１８】従来技術を説明するための図である。
【符号の説明】
【００４８】
１ 紙製パレット
３ 天板
５ 天板補強材
６ 交点部分
７ 脚部
８ 下板
８ａ 一方の面
８ｂ 他方の面
８’ 下板
８” カバー板
８ｃ 切り欠き
９  固定手段
９’ 固定手段
１４ フォークリフトのフォーク
１５ フォークポケット
５１ 主管
５１ａ 通し孔
５３ 副管
５３ａ 先端部
５３’別の副管
７１ 上端面
７２ 下端面
７３ 凹部
８１ 折れ線
８３ 通し孔
８３ａ 扁平有底孔
９１ ボルト（螺子）
９３ 波板
９３’波板（支持部）
９３ａ 通し孔
９４ 掛止片
９５ 平板
９５’ワッシャー
９５ａ 通し孔
９７ ナット
１００ コンテナ
１９１ リベット（締着具）
１９３ 中空軸管
１９３ａ フランジ
１９５ 引抜き棒
１９５ａ 膨出部
１９５ｂ 把持部
１９７ リベッター
３０１ 紙製パレット
３０２ 天板
３０３ 底板
３０４ 丸管
３０５ フォークポケット
Ｃ 内側湾曲面（湾曲面）
Ｌ 仮想軸線
Ｌ１ 副官の軸
Ｏ１ 主管の曲率中心
Ｏ２ 副官の曲率中心
Ｓ 空間部
ｒ１ 主管の曲率半径
ｒ２ 副管の曲率半径
【図１】
2005170459.tif 000003
【図２】
2005170459.tif 000004
【図３】
2005170459.tif 000005
【図４】
2005170459.tif 000006
【図５】
2005170459.tif 000007
【図６】
2005170459.tif 000008
【図７】
2005170459.tif 000009
【図８】
2005170459.tif 000010
【図９】
2005170459.tif 000011
【図１０】
2005170459.tif 000012
【図１１】
2005170459.tif 000013
【図１２】
2005170459.tif 000014
【図１３】
2005170459.tif 000015
【図１４】
2005170459.tif 000016
【図１５】
2005170459.tif 000017
【図１６】
2005170459.tif 000018
【図１７】
2005170459.tif 000019
【図１８】
2005170459.tif 000020